(57)【要約】【課題】草木を室外で越冬できるようにすると共に、「たこ足配線」を回避できるヒーター付きプランターを提供する。【解決手段】導電性プラスチックよりなる柔軟な板状の発熱部１５と、該発熱部に沿って設けた２本の電極線１４とを有する面状発熱体４によって容器２内の苗床ａを加温するようにしたヒーター付きプランターである。前記面状発熱体４に組み込まれている並行な２本の電極線１４の一端部側又は両端部側にそれぞれ防水プラグ１９，２０を設け、且つ、該防水プラグ１９，２０を介して隣接しているヒーター付きプランターどうしを電気的に接続する。【選択図】        図７
2005304331.tif 000002
【特許請求の範囲】
【請求項１】
導電性プラスチックよりなる柔軟な板状の発熱部と、該発熱部に沿って設けた２本の電極線とを有する面状発熱体によって容器内の苗床を加温するようにしたヒーター付きプランターであって、前記面状発熱体に組み込まれている並行な２本の電極線の一端部側又は両端部側にそれぞれ防水プラグを設け、且つ、該防水プラグを介して隣接しているヒーター付きプランターどうしを電気的に接続することを特徴とするヒーター付きプランター。
【請求項２】
前記容器に、前記面状発熱体を取り付けたことを特徴とする請求項１記載のヒーター付きプランター。
【請求項３】
前記容器内に、多数の孔を有する仕切板を設けると共に、該仕切板に前記面状発熱体を取り付けたことを特徴とする請求項１記載のヒーター付きプランター。    
【請求項４】
前記仕切板に、前記面状発熱体をクリップ等の支持具によって固定することを特徴とする請求項３記載のヒーター付きプランター。
【請求項５】
前記面状発熱体に、その長手方向に所定の間隔を隔てて開口部を設けたことを特徴とする請求項１、２、３又は４記載のヒーター付きプランター。
【発明の詳細な説明】
【技術分野】
【０００１】
本発明は、一戸建ての庭、或いは、マンションのベランダなどに設置するガーデニング用のヒーター付きプランター、特に、越冬用のヒーター付きプランターに関するものである。
【背景技術】
【０００２】
昨今、ガーデニングがブームになっているが、春から秋にかけて一戸建ての庭、或いは、マンションのベランダなどに設置した鉢植えなどは、冬になって気温が０℃近傍、或いは、それ以下になると、その大半が枯渇するか、或いは、枯渇しないまでも何らかの被害を被るようになる。
【０００３】
従って、大切な草木などは、透明や半透明のビニールシートで被ったり、或いは、室内に収容して越冬させることが行なわれているが、毎年、草木をビニールシートで被うことは、結構、面倒な作業である。また、鉢植えを室内に収容して越冬させる場合も大変な労力が要る。
【０００４】
ところで、従来、温室などのハウス内に苗床を設けると共に、苗床の植付け部を加温するためのヒーターを設け、ハウスの室温および苗床の植付け部の温度を検出し、ハウスの室温に応じて、苗床の植付け部の温度を室温より所定温度だけ高くするようにしたハウス栽培における苗床の温度制御方法が提案されている（例えば、特許文献１参照。）。
【特許文献１】特許第３０７３３１８号明細書（第２−４頁、図１）
【発明の開示】
【発明が解決しようとする課題】
【０００５】
しかしながら、上記の苗床温度制御方法は、苗床を複数台配設する場合、苗床ごとに苗床温度調節器およびヒーター制御器を設けている。従って、苗床の数だけ苗床温度調節器およびヒーター制御器が必要となるため、設備費などが嵩むという問題がある。
【０００６】
また、苗床の数だけ苗床温度調節器およびヒーター制御器から苗床に向かって電気配線を配線するため、多数の電気配線がハウスの床面に溢れ、苗床に植えられている草木の手入れなどに支障が生ずるなどの問題がある。
【０００７】
この発明は、このような問題を解消するためになされたものであり、その目的の一つは、ビニールシートで被わなくても草木を室外で越冬できるようにしたヒーター付きプランターを提供することにある。
【０００８】
また、この発明の他の目的は、いわゆる「たこ足配線」を回避するため、隣接させたプランターどうしを電気的に接続できるようにしたヒーター付きプランターを提供することにある。
【課題を解決するための手段】
【０００９】
上記の課題を解決するため、この発明は、次のように構成されている。
【００１０】
請求項１に記載の発明に係るヒーター付きプランターは、導電性プラスチックよりなる柔軟な板状の発熱部と、該発熱部に沿って設けた２本の電極線とを有する面状発熱体によって容器内の苗床を加温するようにしたヒーター付きプランターであって、前記面状発熱体に組み込まれている並行な２本の電極線の一端部側又は両端部側にそれぞれ防水プラグを設け、且つ、該防水プラグを介して隣接しているヒーター付きプランターどうしを電気的に接続することを特徴としている。
【００１１】
また、請求項２に記載の発明に係るヒーター付きプランターは、前記容器に、前記面状発熱体を取り付けたことを特徴としている。
【００１２】
また、請求項３に記載の発明に係るヒーター付きプランターは、前記容器内に、多数の孔を有する仕切板を設けると共に、該仕切板に前記面状発熱体を取り付けたことを特徴としている。
【００１３】
また、請求項４に記載の発明に係るヒーター付きプランターは、前記仕切板に、前記面状発熱体をクリップ等の支持具によって固定することを特徴としている。
【００１４】
また、請求項５に記載の発明に係るヒーター付きプランターは、前記面状発熱体に、その長手方向に所定の間隔を隔てて開口部を設けたことを特徴としている。
【発明の効果】
【００１５】
上記のように、請求項１に記載の発明に係るヒーター付き苗床容器は、導電性プラスチックよりなる柔軟な板状の発熱部と、該発熱部に沿って設けた２本の電極線とを有する面状発熱体によって容器内の苗床を加温するようにしたヒーター付きプランターであって、前記面状発熱体に組み込まれている並行な２本の電極線の一端部側又は両端部側にそれぞれ防水プラグを設け、且つ、該防水プラグを介して隣接しているヒーター付きプランターどうしを電気的に接続するので、ガーデニングに際し、一戸建ての庭やマンションのベランダに多数のヒーター付きプランターを設置しても電気配線が錯綜することがない。
【００１６】
従って、ヒーター付きプランターに植え付けた草木を容易に手入れすることができる。また、「たこ足配線」を回避できるので、非常に安全である。また、ヒーター付きプランターの防水プラグを差し込む屋外の防水コンセントも少なくとも１個あれば足りるので、追加工事などが不要である。
【００１７】
また、この発明は、ヒーター付きプランターの面上発熱体に通電することによって容器内の苗床を加温することができるため、前記苗床に植え付けた草木を室外でも、十分、越冬させることができる。
【００１８】
ここで、面状発熱体は、容器に取り付けても良いし、仕切板に取り付けても良い。面状発熱体を仕切板に取り付ける場合は、クリップ等の支持具を用いて簡単に固定することができる。また、この面状発熱体は、その長手方向に所定の間隔を隔てて開口部を設けているので、水はけも良く、根腐れなどを回避することができる。
【発明を実施するための最良の形態】
【００１９】
以下、本発明の実施の形態を図面を用いて説明する。
【００２０】
図１において、１は、ヒーター付きプランターであり、例えば、長さ６５〜７５ｃｍ、幅２５〜３０ｃｍ、高さ２５ｃｍ程度の大きさで、且つ、上部が開口したプラスチック製の容器２と、多数の孔８を有する長方形の仕切板３と、導電性プラスチックよりなる長方形の面状発熱体４から構成されている。
【００２１】
面状発熱体４は、一方の端にリード線９を有し、他の一方の端にリード線１０を有している。そして、リード線９にオス型の防水プラグ１９を設け、リード線１０にメス型の防水プラグ２０を設けている。オス型の防水プラグ１９は、柔軟な防水キャップ１９ａの内周面に環状溝１９ｂを有し、この環状溝１９ｂに、メス型の防水プラグ２０の外周面に設けた環状の凸部２０ａが勘合して水密性を保持するようになっている。
【００２２】
容器２は、その底面５から所定の高さの所に全周にわたって段状部６を有しており、この段状部６によって仕切板３の全周を支持するようになっている。また、この容器２は、下部端面に排水孔７を備えている。
【００２３】
面状発熱体４は、Ｕ字形の把持具（図３参照。）１２によって仕切板３の下面に固定されているが、把持具１２の屈曲部１２ａが仕切板３の側面から外方に突出しないように仕切板３の側面には、把持具１２の屈曲部１２ａの厚みの分だけ凹んだ凹み部１３が設けられている（図２参照。）。
【００２４】
面状発熱体４は、図４および図５に示すように、平行に並べた２本のクロームメッキ平編銅線よりなる電極線１４と、この２本の電極線１４間に設けた導電性プラスチックよりなる柔軟性のある面状発熱部１５と、この面状発熱部１５及び２本の電極線１４を被覆する絶縁被覆体１６により形成されている。その上、各電極線１４の一端側には、夫々、リード線９が接続され、他の一端側には、夫々、リード線１０が接続されている。そして、既に説明したように、一方の側の２本のリード線９には、オス型の防水プラグ１９が取り付けられ、他の一方の側の２本のリード線１０には、メス型の防水プラグ２０が取り付けられている。
【００２５】
面状発熱部１５は、図６に示すように、熱可塑性プラスチック１７に導電粒子である鉄粉、アルミ粉末、或いは、カーボンなどの導電性の粉末１８が混入され、しかも、導電性の粉末１８が熱可塑性プラスチゥク１７の表面に近づくほど密になるように立体的につながっている。このため、通電すると、発熱部１５の温度が上昇し、安定温度に近くなると、電気抵抗が増大し、消費電力が減少する、というＰＴＣ効果を持っている。
【００２６】
更に、この面状発熱体４は、１０〜２０Ｗ／ｍ程度の電気容量を有する。また、その厚さは、約１〜３ｍｍ程度であるが、排水性を持たせるためと、出荷時にロール状に巻き易くするために、開口部２１をその長手方向に所定の間隔を隔てて設けている（図４参照。）。
【００２７】
続いて、このヒーター付きプランターの使用方法について説明する。
【００２８】
上記のように、ヒーター付きプランター１の一端側にオス型の防水プラグ１９があり、他の一方の側にメス型の防水プラグ２０がある場合には、図７に示すように、一方のヒーター付きプランター１ａのメス型の防水プラグ２０と、他の一方のヒーター付きプランター１ｂのオス型の防水プラグ１９とを接続させ、ヒーター付きプランター１ａ及び１ｂをその長手方向に並べる。
【００２９】
例えば、♯１００タイプの面上発熱体は、有効長が２５ｍであるから、例えば、ヒーター付きプランターの長さを１ｍと仮定すると、ヒーター付きプランターを２５個程度接続することができる。
【００３０】
その際、室外の防水型コンセント２２に接続している温度コントローラ３０に、ヒーター付きプランター１ａのオス型の防水プラグ１９を接続すると共に、温度コントローラ３０に設けられている温度検出器３１を任意のヒーター付きプランター、例えば、ヒーター付きプランター１ａの苗床ａに差し込む。
【００３１】
しかる後に、温度コントローラ３０のスイッチ（図示せず）を入れると、面状発熱体４の面状発熱部１５が発熱し、容器２内の苗床ａが均一に温められる。苗床ａの温度が温度コントローラ３０に入力した温度以上になると、温度コントローラ３０の働きによって温度コントローラ３０に設けられているスイッチ（図示せず）が自動的に切れる。
【００３２】
ここで、草木を室外で越冬させる場合、地域や草木の種類にも左右されるが、苗床の温度としては、外気の温度よりも＋４℃〜＋８℃程度、より好ましくは＋５℃〜＋６℃程度高くすることが望ましい。
【００３３】
以上の説明では、面状発熱体４の一方の側にオス型の防水プラグ１９を設け、他の一方の側にメス型の防水プラグ２０を設けた場合について説明したが、図８に示すように、オス型の防水プラグ１９及びメス型の防水プラグ２０を面状発熱体４の一方の端部のみに設けても差し支えがない。この場合には、図９に示すように、ヒーター付きプランター１を横手方向に並べることができる。
【００３４】
また、以上の説明では、面上発熱体４を仕切板３に取り付けた場合について説明したが、面上発熱体４を容器２の側面に取り付けても良い。また、面上発熱体４を容器２と仕切板３の両方に設けても良い。更に、面上発熱体４を仕切板３の上に乗せても良い。
【００３５】
また、ヒーター付きプランターの構造としては、上記構造に限らない。要は、草木を定植できるものであれば良い。また、このヒーター付きプランター１は、排水孔７を塞ぐことにより、水耕栽培にも適用することができる。
【図面の簡単な説明】
【００３６】
【図１】本発明に係るヒーター付きプランターの断面図である。
【図２】面上発熱体を取り付けた仕切板の平面図である。
【図３】保持具の側面図である。
【図４】面上発熱体の平面図である。
【図５】図４のＸ−Ｘ断面図である。
【図６】図５のＡ部の拡大図である。
【図７】本発明に係るヒーター付きプランターの使用説明図である。
【図８】オス及びメス型の防水プラグを面上発熱体の一方の端だけに設けた面上発熱体の平面図である。
【図９】図８の面上発熱体を用いたヒーター付きプランターの配列例を示す説明図である。
【符号の説明】
【００３７】
ａ  苗床
１  ヒーター付き苗床容器
２  容器
４  面状発熱体
１４  電極線
１５  板状の発熱部１５
１９，２０  防水プラグ
【図１】
2005304331.tif 000003
【図２】
2005304331.tif 000004
【図３】
2005304331.tif 000005
【図４】
2005304331.tif 000006
【図５】
2005304331.tif 000007
【図６】
2005304331.tif 000008
【図７】
2005304331.tif 000009
【図８】
2005304331.tif 000010
【図９】
2005304331.tif 000011